(57)【要約】【課題】従来の折り畳みテーブルに比べて厚みを薄くする事を可能とし、積み重ねる数量を増すことで保管スペースを減少させ、又棚付のパイプを傷つけることなく装備している折り畳みテーブルを提供する。【解決手段】天板裏に補強材とＬ型金具を固定し補強材に脚取付材を固定接合し補強材と平行に脚部を揺動回転可能に接続、折り曲げ式ステーを脚部と補強材の間に設け折り曲げ式ステーに前後回転揺動可能に取り付けた棚を有す折り畳みテーブル。【選択図】　図４
2004113714.tif 000002
【特許請求の範囲】
【請求項１】
折り畳みテーブルの補強材と平行に設置した脚部端部と補強材端部に設けた支軸を支点とし回転自在の脚部を有する薄型折り畳みテーブルである。
【請求項２】
補強材にＬ型金具を固定接合し折り曲げ式ステーを折り曲げ式ステー軸に回転自在に枢支して取り付けたタイプである。
【請求項３】
上記請求項２のＬ型金具を脚取付材に固定接合したタイプである。
【請求項４】
上記請求項２のＬ型金具を天板に固定し折り曲げ式ステーを取り付けたタイプである。
【請求項５】
折り曲げ式ステー又は羽根式ステーに突起軸を設け棚の端部空洞状のパイプを突起軸から外れないように挿入し、パイプが前後揺動回転可能にすることで立脚時から折り畳み時に又は、折り畳み時から立脚時に可変する事で可能とした。
【請求項６】
上記請求項５の空洞パイプを補強材と水平に設けた棚パイプバーに変更し、スライド出来るスライド溝穴を設け左右の棚パイプバーから垂直に固定し伸びた解除バーを有するタイプである。
【請求項７】
上記請求項４の折り曲げ式ステーを直線筋交い状態時、ステー支軸を支点とし平型ステーに凸ハネを設けることでコの字ステーに接触し折り曲げ式ステーが固定し振動による振幅が発生しない物である。
【発明の詳細な説明】
【０００１】
【発明が属する技術分野】
本発明は、家庭用テーブル・会議テーブル等に使用される折り畳みテーブルに関するものである。
【０００２】
【従来の技術】
従来の折り畳みテーブルは、会議等多数の人が集まる場所などに使用されている。テーブルとしての使用時は立脚状態とし、未使用時は脚部と補強材が折り重なる様に天板裏に折り畳み、折り畳みテーブルを折り畳んだ状態で積み重ねて収納していた。
【０００３】
また、従来の折り畳みテーブルの棚は、左右の補強材と脚部の間に折り曲げ式ステーまたは羽根型ステーを取り付け、折り曲げ式ステーまたは羽根型ステーにスライド出来るスライド溝穴を設け、左右に設けたスライド溝穴に棚に固定されたスライドバーを揺動前後回転自在に取り付け、折り畳み状態から立脚状態に可変する時に棚のスライドバーが左右のスライド溝をスライドする事により、折り畳み時では天板裏に接している棚を、立脚時に天板裏と棚の間に空間を設ける事が出来た。
【０００４】
又上記折り畳みテーブルは、立脚時の脚が脚支軸を支点として折り畳まれない様に左右の折り曲げ式ステーまたは羽根型ステーの間に棒状の固定連結具を突押す事で解除でき、又棚付では棚のスライドバーと平行して固定連結具を有し、天板方向に固定連結具を突押す事で解除できた。
【０００５】
【発明が解決しようとする課題】
解決しようとする問題点は、収納時に折り畳みテーブルを折り畳み状態で重ね積みをした時、一つの折り畳みテーブルの幅は天板幅・補強材幅・脚部幅とスペーサー幅の合計幅で多数のテーブルを重ねると高さを必要とし収納スペースを必要としてきたが、本発明は一つの折り畳みテーブルの幅を薄くする事でテーブルの重ね積み量を増すことを可能にしスペースをより少なくすることを可能とした物である。
【０００６】
又上記の折り畳みテーブルの棚付タイプは、棚のパイプのサイズを幾種類かに分け大パイプに小パイプを挿入し立脚時と折り畳み時の棚の長さを、パイプを伸縮することで設ける事が出来たが、小パイプが伸縮することで大パイプと小パイプが擦れ合い小パイプの表面を磨耗傷つけてしまう物であった。
【０００７】
【課題を解決する手段】
本発明は、折り畳みテーブルの天板に左右両側に補強材を固定し、各補強材の内側に回転可動に回転軸を設け枢着した脚部を折り畳み時補強材と並び平行することで従来の折り畳みテーブルと比較して薄くする事を可能にした物である。
【０００８】
上記薄型折り畳みテーブルの両サイドの折り曲げ式ステーに突起軸を設け、両サイドの突起軸に揺動前後回転可動が出来る固定した棚パイプ内径（プレスの溝）に挿入しパイプ内径内を揺動前後可動にすることで立脚時と折り畳み時の棚の両端位置違いをアジャストすることで脚部を可変することを可能にした物である。
【０００９】
【発明の実施の形態】
本発明は、折り畳みテーブルの脚部折り畳み時の製品厚を脚部と補強材を平行に設けることで従来の物より薄くする事を可能とし、また棚付折り畳みテーブルの棚は、折り畳み時から立脚時に可変する場合棚全長が伸縮することが必要な為折り曲げ式ステーまたは羽根型ステーに突起軸を設け、棚両サイド両端部を前後伸縮出来るようパイプ内に突起軸を挿入してなるものである。
【００１０】
【実施例】
以下本発明を添付図面に示す実施例に基づいて詳細する。図１は要部斜視図、図２・３は図１の側面から見た説明図、図４・５は従来の折り畳みテーブルに本発明の棚を取り付けた斜視図、図６はパイプ内径をアジャスト機構の代わりにパイプ溝穴を使用してアジャストすることを可能とした斜視図、図７は折り畳み時の全体裏面図、図８は立脚時の全体裏面図、図９は側面から見た折り曲げ式ステー凸ハネ付説明図。
【００１１】
図１は、天板裏１ａ　に補強材２とＬ型金具５を固定し、脚取付材４のコの字の間に補強材２を固定設置、脚部３を回転支軸８で回転自在に取り付け折り畳み状態から立脚状態に可変出来る。
【００１２】
Ｌ型金具５と脚部３に折り曲げ式ステー１２を折り曲げ式ステー軸９と折り曲げ式ステー軸１１を枢支し、折り曲げ式ステー１２はステー支軸１０を支点として折れ、折り曲げ式ステー１２の天板の反対側に折れないようにする。（筋交い状態まで可変可能にする）。
【００１３】
折り曲げ式ステー１２から突起軸のステーピン１９を設け棚本体先端に設けたスライダーパイプ７に搖動前後回転を可能に挿入し、左右の折り曲げ式ステー１２のステーピン１９から外れないように取り付け、立脚時の折り曲げ式ステー１２はステー支軸１０を支軸としステー１２ａがステー１２ｂのコの字状の側面に接し伸びた状態の筋交いとし、立脚時の脚部３を安定固定させる。
【００１４】
上記の構造により折り畳み時から立脚時又は立脚時から折り畳み時に可変することが可能にすることが出来、スライダーパイプ７を天板方向に押し上げることで筋交い状の折り曲げ式ステー１２の位置固定機能を解除することが出来る。
【００１５】
図１のＬ型金具は補強材２に取り付け固定、又は脚取付材に固定、又は独自で天板裏に固定することをよしとする。
【００１６】
図２は、折り畳みテーブル立脚時の棚を折り曲げ式ステー１２のステーピン１９に取り付けた側面からの説明図で棚のスライダーパイプ７が立脚時は、棚パイプ６の対称内面に位置する事を示しパイプ内を搖動可能とすることを示した図である。
【００１７】
図３は、折り畳みテーブル折り畳み時の棚位置を示した説明図でスライダーパイプ７内径に挿入しスライダーパイプ７内径に挿入されたステーピン１９の位置を示した図である。
【００１８】
図４は、従来の折り畳みテーブルクランク式に立脚状態解除方法を棚パイプ６とスライダーパイプ７を用いた上記のタイプである。
【００１９】
図５は、従来の折り畳みテーブル羽根式は羽根軸１５を補強材２に設け羽根型ステー１３を羽根軸１５に回転自在に枢支し立脚時から折り畳み時に可変するように羽根型ステー１３にスライドする溝（穴）に脚部３に設けた脚軸１４を搖動前後回転自在に挿入し羽根型ステー１３に上記立脚解除方法の棚パイプ６とスライダーパイプ７を用いたタイプである。
【００２０】
図６は、図１の棚を解除バー２０と棚パイプバー１６とを固定した物に変更し、折り曲げ式ステー１２に棚パイプ軸１７を設け、棚パイプバー１６にスライド溝穴２１に外れないように棚パイプ軸１７を搖動前後回転可能に挿入し解除バー２０を天板方向に押し上げることで筋交い状の折り曲げ式ステー１２の位置固定機能を解除することが出来るものである。
【００２１】
図７は、折り畳みテーブル折り畳み時の全体裏面図で棚と脚部の搖動前後回転可能にした接続部の位置を示したものである。
【００２２】
図８は、折り畳みテーブル立脚時の全体裏面図で棚と脚部の搖動前後回転可能にした接続部の位置を示したものである。
【００２３】
図９は、折り曲げ式ステー１２を直線筋交い状態時、ステー支軸１０を支点とし平型ステー１２ａに凸ハネ２２を設けることでコの字ステー１２ｂに接触することで振動による振幅が発生しないことを示した説明図である。
【００２４】
【発明の効果】
本発明の折り畳みテーブルは、従来の折り畳みテーブルと比べて薄くなり、又棚付の場合従来の物に見られたパイプ同士で傷つき複雑であった物を簡単に美しくする事が出来た物である。
【図面の簡単な説明】
【図１】薄型折り畳みテーブル要部斜視図。
【図２】折り畳みテーブル立脚時の棚パイプ位置を示した説明図。
【図３】降りた畳テーブル折り畳み時の棚パイプ位置を示した説明図。
【図４】従来のクランク式折り畳みテーブルに本発明の棚パイプを使用した要部斜視図。
【図５】従来の羽根式折り畳みテーブルに本発明の棚パイプを使用した要部斜視図。
【図６】従来のクランク式折り畳みテーブルに棚スライド溝穴を設けスライドする仕様の要部斜視図。
【図７】折り畳みテーブル折り畳み時の全体裏面図。
【図８】折り畳みテーブル立脚時の全体裏面図。
【図９】側面から見た折り曲げ式ステー凸ハネ付説明図
【符号の説明】
１　　　天板
１ａ　　天板裏
２　　　補強材
３　　　脚部
４　　　脚取付材
５　　　Ｌ型金具
６　　　棚パイプ
７　　　スライダーパイプ
１２　　折り曲げ式ステー
【図１】
2004113714.tif 000003
【図２】
2004113714.tif 000004
【図３】
2004113714.tif 000005
【図４】
2004113714.tif 000006
【図５】
2004113714.tif 000007
【図６】
2004113714.tif 000008
【図７】
2004113714.tif 000009
【図８】
2004113714.tif 000010
【図９】
2004113714.tif 000011